(57)【要約】【課題】画像の視認性の低下を抑制することが可能な携帯型電子機器を提供する。【解決手段】携帯型電子機器１Ａは、２種類の画像ＭＧ，ＨＧをそれぞれ異なる方向から視認可能なように表示する表示部１２０を有する。この携帯型電子機器１Ａは、当該携帯型電子機器１Ａの姿勢変動を検出するとともに、検出された姿勢変動が所定の条件を満たす場合には、２種類の画像ＭＧ，ＨＧのうち、少なくとも１つの画像（例えばＭＧ）の内容を変更する。これによれば、画像の視認性の低下を抑制することに加えて、特定の方向からしか視認できない場合または見やすい一方向から視認したい場合においても所望の画像を操作性良く視認することが可能となる。【選択図】図４
2007264348.tif 000002
【特許請求の範囲】
【請求項１】
携帯型電子機器であって、
２種類の画像をそれぞれ異なる方向から視認可能なように表示する表示部と、
前記表示部における表示内容を制御する表示制御手段と、
前記携帯型電子機器の姿勢変動を検出する検出手段と、
を備え、
前記表示制御手段は、前記姿勢変動が所定の条件を満たす場合には、前記２種類の画像のうち、少なくとも１つの画像の内容を変更することを特徴とする携帯型電子機器。
【請求項２】
請求項１に記載の携帯型電子機器において、
前記表示制御手段は、前記姿勢変動が所定の条件を満たす場合には、前記２種類の画像を相互に入れ替えることを特徴とする携帯型電子機器。
【請求項３】
請求項１に記載の携帯型電子機器において、
前記表示制御手段は、前記姿勢変動が所定の条件を満たす場合には、前記２種類の画像のうち、一方の画像に含まれる一部の情報を他方の画像に付加して表示することを特徴とする携帯型電子機器。
【請求項４】
請求項１から請求項３のいずれかに記載の携帯型電子機器において、
撮像手段、
をさらに備え、
前記２種類の画像のうち、一方の画像は前記撮像手段により取得される画像であり、他方の画像は前記一方の画像に関する撮影情報を表す画像であることを特徴とする携帯型電子機器。
【請求項５】
請求項４に記載の携帯型電子機器において、
前記表示部は、鉛直方向の異なる位置から当該表示部が視認された場合に、前記２種類の画像がそれぞれ視認可能となるように表示することを特徴とする携帯型電子機器。
【請求項６】
携帯型電子機器であって、
２種類の画像をそれぞれ異なる方向から視認可能なように表示する表示部と、
前記表示部における表示内容を制御する表示制御手段と、
前記携帯型電子機器の姿勢を検出する検出手段と、
を備え、
前記表示制御手段は、前記姿勢が所定の条件を満たす場合には、前記２種類の画像のうち、少なくとも１つの画像の内容を変更することを特徴とする携帯型電子機器。
【請求項７】
請求項６に記載の携帯型電子機器において、
前記表示制御手段は、前記姿勢が所定の条件を満たす場合には、前記２種類の画像を相互に入れ替えることを特徴とする携帯型電子機器。
【請求項８】
請求項６に記載の携帯型電子機器において、
前記表示制御手段は、前記姿勢が所定の条件を満たす場合には、前記２種類の画像のうち、一方の画像に含まれる一部の情報を他方の画像に付加して表示することを特徴とする携帯型電子機器。
【請求項９】
請求項６から請求項８のいずれかに記載の携帯型電子機器において、
撮像手段、
をさらに備え、
前記２種類の画像のうち、一方の画像は前記撮像手段により取得される画像であり、他方の画像は前記一方の画像に関する撮影情報を表す画像であることを特徴とする携帯型電子機器。
【請求項１０】
請求項９に記載の携帯型電子機器において、
前記表示部は、鉛直方向の異なる位置から当該表示部が視認された場合に、前記２種類の画像がそれぞれ視認可能となるように表示することを特徴とする携帯型電子機器。
【発明の詳細な説明】
【技術分野】
【０００１】
本発明は、携帯型電子機器における画像表示技術に関する。
【背景技術】
【０００２】
表示部を有する携帯型電子機器において、表示部に所定の画像（撮影画像等）を表示するとともに、当該画像に関する情報等を確認したい場合がある。このような場合には、表示部に表示された所定の画像に当該情報を重畳して表示させることが多い（特許文献１参照）。
【０００３】
【特許文献１】特開２００４−３５７０９２号公報
【特許文献２】特開２００２−３５０７７２号公報
【発明の開示】
【発明が解決しようとする課題】
【０００４】
しかしながら、撮影画像に文字、記号等を重畳して生成した画像を表示部に表示させると、表示された文字等によって当該撮影画像の一部が視認できなくなり、ひいては画像の視認性を損なうこともある。
【０００５】
そこで、本発明は上記課題に鑑みてなされたものであり、画像の視認性の低下を抑制することが可能な技術を提供することを課題とする。
【課題を解決するための手段】
【０００６】
上記の課題を解決するため、請求項１の発明は、携帯型電子機器であって、２種類の画像をそれぞれ異なる方向から視認可能なように表示する表示部と、前記表示部における表示内容を制御する表示制御手段と、前記携帯型電子機器の姿勢変動を検出する検出手段とを備え、前記表示制御手段は、前記姿勢変動が所定の条件を満たす場合には、前記２種類の画像のうち、少なくとも１つの画像の内容を変更することを特徴とする。
【０００７】
また、請求項２の発明は、請求項１の発明に係る携帯型電子機器において、前記表示制御手段は、前記姿勢変動が所定の条件を満たす場合には、前記２種類の画像を相互に入れ替えることを特徴とする。
【０００８】
また、請求項３の発明は、請求項１の発明に係る携帯型電子機器において、前記表示制御手段は、前記姿勢変動が所定の条件を満たす場合には、前記２種類の画像のうち、一方の画像に含まれる一部の情報を他方の画像に付加して表示することを特徴とする。
【０００９】
また、請求項４の発明は、請求項１から請求項３のいずれかの発明に係る携帯型電子機器において、撮像手段、をさらに備え、前記２種類の画像のうち、一方の画像は前記撮像手段により取得される画像であり、他方の画像は前記一方の画像に関する撮影情報を表す画像であることを特徴とする。
【００１０】
また、請求項５の発明は、請求項４の発明に係る携帯型電子機器において、前記表示部は、鉛直方向の異なる位置から当該表示部が視認された場合に、前記２種類の画像がそれぞれ視認可能となるように表示することを特徴とする。
【００１１】
また、請求項６の発明は、携帯型電子機器であって、２種類の画像をそれぞれ異なる方向から視認可能なように表示する表示部と、前記表示部における表示内容を制御する表示制御手段と、前記携帯型電子機器の姿勢を検出する検出手段とを備え、前記表示制御手段は、前記姿勢が所定の条件を満たす場合には、前記２種類の画像のうち、少なくとも１つの画像の内容を変更することを特徴とする。
【００１２】
また、請求項７の発明は、請求項６の発明に係る携帯型電子機器において、前記表示制御手段は、前記姿勢が所定の条件を満たす場合には、前記２種類の画像を相互に入れ替えることを特徴とする。
【００１３】
また、請求項８の発明は、請求項６の発明に係る携帯型電子機器において、前記表示制御手段は、前記姿勢が所定の条件を満たす場合には、前記２種類の画像のうち、一方の画像に含まれる一部の情報を他方の画像に付加して表示することを特徴とする。
【００１４】
また、請求項９の発明は、請求項６から請求項８のいずれかの発明に係る携帯型電子機器において、撮像手段、をさらに備え、前記２種類の画像のうち、一方の画像は前記撮像手段により取得される画像であり、他方の画像は前記一方の画像に関する撮影情報を表す画像であることを特徴とする。
【００１５】
また、請求項１０の発明は、請求項９の発明に係る携帯型電子機器において、前記表示部は、鉛直方向の異なる位置から当該表示部が視認された場合に、前記２種類の画像がそれぞれ視認可能となるように表示することを特徴とする。
【発明の効果】
【００１６】
請求項１から請求項５に記載の発明によれば、２種類の画像をそれぞれ異なる方向から視認可能なように表示する表示部を有するので、携帯型電子機器において画像の視認性の低下を抑制することが可能である。また、携帯型電子機器の姿勢変動を検出するとともに、検出された姿勢変動が所定の条件を満たす場合には、２種類の画像のうち、少なくとも１つの画像の内容を変更するので、特定の方向からしか視認できない場合または見やすい一方向から視認したい場合においても所望の内容を操作性良く視認することが可能となる。
【００１７】
また、請求項６から請求項１０に記載の発明によれば、２種類の画像をそれぞれ異なる方向から視認可能なように表示する表示部を有するので、携帯型電子機器において画像の視認性の低下を抑制することが可能である。また、携帯型電子機器の姿勢を検出するとともに、検出された姿勢が所定の条件を満たす場合には、２種類の画像のうち、少なくとも１つの画像の内容を変更するので、特定の方向からしか視認できない場合または見やすい一方向から視認したい場合においても所望の内容を操作性良く視認することが可能になる。
【発明を実施するための最良の形態】
【００１８】
以下、本発明の実施形態を図面に基づいて説明する。なお、本実施形態においては、携帯型電子機器として、例えば撮像装置１Ａを用いた場合について例示する。
【００１９】
＜１．第１実施形態＞
＜撮像装置の概要＞
図１は、本発明の実施形態に係る撮像装置１Ａの外観側面図であり、図２は、撮像装置１Ａの外観背面図である。
【００２０】
図１に示すように、撮像装置１Ａは、カメラ本体(カメラボディ)１０１と、このカメラ本体１０１の正面略中央にレンズ鏡筒部１０２とを備えたデジタルスチルカメラとして構成されている。
【００２１】
また、カメラ本体１０１は、その上部に撮影モードを切り換えるためのモード設定ダイアル１１２と、露光の開始を指示するためのレリーズボタン１１４と、フラッシュ撮影の際に被写体を照射する光を発するポップアップ式のフラッシュ１１０とを備えている。
【００２２】
モード設定ダイアル１１２は、撮像装置１Ａの各種モード（静止画を撮影する静止画撮影モード、動画を撮影する動画撮影モード、撮影した画像を再生する再生モード、および外部機器との間でデータ交信を行う通信モード等を含む）を設定するためのものである。
【００２３】
レリーズボタン１１４は、ユーザ操作による半押し状態（以下、Ｓ１状態とも称する）と全押し状態（以下、Ｓ２状態とも称する）とを区別して検出可能な２段階押し込みスイッチとして機能し、ユーザは、当該レリーズボタン１１４の押下操作により合焦開始及び撮影タイミングを撮像装置１Ａに指示することができる。全押し（Ｓ２）状態が検出されるとレリーズボタンがオン（ＯＮ）されたと判定され、撮影が開始される。
【００２４】
また、図２に示されるように、カメラ本体１０１の背面には、電子ビューファインダー(ＥＶＦ)１１１と、撮影された画像などを表示する背面モニタ１２０（「表示部」とも称する）と、撮像装置１Ａの電源をＯＮ／ＯＦＦする電源スイッチ（ＳＷ）１１３と、撮影時のズーミングを指示するズームボタン１１５と、各種操作スイッチ（方向選択キー１１６、表示切り替えスイッチ１１８、メニュースイッチ１１９）とが設けられている。
【００２５】
ＥＶＦ１１１には、被写体像が導かれ、撮影者は、ＥＶＦ１１１を覗くことによって、被写体を視認することができる。
【００２６】
表示部１２０は、例えばカラー液晶ディスプレイとして構成され、撮影モード（静止画撮影モードおよび動画撮影モード）時のプレビュー表示（ライブビュー表示とも称する）及び記録画像の再生表示等を行う。また、表示部１２０において表示される画像には、撮影画像等に関連する情報、具体的には文字または数字等による情報も含まれ得る。すなわち、表示部１２０においては、撮影画像のみを含む画像と、当該撮影画像に文字または数字等が重畳された画像と、文字または数字等のみを含む画像（撮影画像を含まない画像）とが選択的に表示され得る。
【００２７】
ライブビュー表示では、微小時間間隔で（例えば１／３０秒ごとに）低解像度で被写体の撮像を繰り返し、撮影画像を表示部１２０に動画的態様で表示する。
【００２８】
また、表示部１２０は、パンタグラフ形式の支持部を有し、ユーザは、引っ張り操作によって、表示部１２０に対する視認角度を自由に変更することができる。
【００２９】
方向選択キー１１６は、円形の操作ボタンを有し、この操作ボタンにおける上下左右の４方向の押圧操作と、右上、左上、右下及び左下の４方向の押圧操作とが、それぞれ検出されるようになっている。なお、方向選択キー１１６は、上記８方向の押圧操作とは別に、中央部のプッシュボタンの押圧操作も検出されるようになっている。
【００３０】
表示切り替えスイッチ１１８は、表示部１２０の表示を切り替えるスイッチである。
【００３１】
メニュースイッチ１１９は、表示部１２０にメニュー画面を表示させたり、メニュー画面の内容を切り換えたりするためのスイッチである。
【００３２】
また、カメラ本体１０１の側面には、カード収納室の蓋１１７が設けられ、カード収納室には、撮影画像の画像データを記録するためのメモリカードが着脱可能になっている。
【００３３】
＜撮像装置の機能＞
図３は、撮像装置１Ａの機能構成を示すブロック図である。図４は、表示部１２０に表示される画像を示す図である。
【００３４】
カメラ部２１は、レンズ光学系からの光像（被写体像）を撮像素子により画像データとして取得し、デジタル信号に変換する機能を有している。
【００３５】
画像処理部２２は、カメラ部２１から入力されるデジタル信号にホワイトバランス補正、γ補正処理及び色補正処理等の各画像処理を施す機能を有している。
【００３６】
画像処理後の画像データは、所定のタイミングでメモリ２３に書き込まれ、また、ライブビュー表示用の画像として、表示制御部２４を介して表示部１２０に表示される。
【００３７】
表示部１２０は、２種類の画像をそれぞれ異なる方向から視認可能なように表示する多方向表示機能を有している。詳細には、表示部１２０は、第１の画像が第１の方向から視認可能であり且つ第１の画像とは異なる第２の画像が第１の方向とは異なる第２の方向から視認可能であるように、２種類の画像を表示する機能を有している。なお、このような多方向表示機能は、２種類の画像を２つの異なる方向に表示する機能とも表現することができる。
【００３８】
例えば、撮影モードにおいては、図４に示されるように、カメラ部２１により取得されるライブビュー画像ＩＡ１と現在の撮影情報を表す画像ＩＢ１とがそれぞれ異なる方向から視認可能なように表示される。画像ＩＢ１には、撮影可能枚数３１，撮像装置１Ａの動作モード３２，シャッタースピード３３，絞り値３４，フラッシュ動作３５，ホワイトバランス補正設定３６等の撮影情報が表示される。
【００３９】
なお、ここでは、ライブビュー画像ＩＡ１をメイン画像ＭＧとして表示するとともに、撮影情報を表す画像ＩＢ１を補助画像ＨＧとして表示するものとする。
【００４０】
また、ここでは鉛直方向（Ｙ方向）の異なる位置（表示部１２０正面より上側および下側）から表示部１２０が視認された場合に、異なる画像が視認可能となるように表示されるものとする。具体的には、標準状態（通常状態とも称する）において、ライブビュー画像ＩＡ１（メイン画像ＭＧ）を表示部１２０正面の上側から視認することが可能であり、画像ＩＢ１（補助画像ＨＧ）を表示部１２０正面の下側から視認することが可能である。ただし、これに限定されず、表示部１２０の水平方向（Ｘ方向）の異なる位置（例えば、表示部１２０正面より左側および右側）から視認した場合に、異なる画像が視認可能となるように表示してもよい。
【００４１】
表示制御部２４は、表示部１２０に表示する画像の内容を制御する機能を有している。
【００４２】
図３に示される操作部２５は、ユーザが操作入力可能なボタンやスイッチ等によって構成され、モード設定ダイアル１１２、電源スイッチ１１３、およびレリーズボタン１１４を含んでいる。
【００４３】
検出部２６は、ジャイロセンサ等を有しており、使用者によって撮像装置１Ａに与えられる所定の変位を検出する機能を有している。
【００４４】
全体制御部２０は、内部にＲＡＭ及びＲＯＭ（いずれも不図示）を備えたマイクロコンピュータによって構成され、予めＲＯＭ内に記憶されている制御プログラムをマイクロコンピュータが実行することにより、上記各部を統括的に制御する機能を有している。
【００４５】
＜動作＞
次に、撮像装置１Ａの撮影モードにおける動作について説明する。
【００４６】
図５は、撮像装置１Ａの動作フローチャートである。図６は、表示部１２０に表示される画像の表示方向を示す図である。図７は、外観に現れているレンズ面側が若干下向きになるように撮像装置１Ａを傾けた場合に、使用者が表示部１２０を視認する様子を示す図であり、図８は、表示部１２０に対する視認方向を変更した際に使用者が視認する様子を示す図である。図９は、表示部１２０を引き出した際に使用者が表示部１２０を視認する様子を示す図である。
【００４７】
図５に示されるように、ステップＳＰ１ではモード設定ダイアル１１２のダイアル操作によって撮影モードが選択されると、撮影モードに移行し、カメラ部２１による画像データの取得が開始される。
【００４８】
ステップＳＰ２では、取得された画像データがライブビュー画像として表示部１２０に表示される。表示部１２０においては、ライブビュー画像をメイン画像ＭＧとし、現在の撮影情報を表す画像を補助画像ＨＧとして、２つの異なる方向からそれぞれ視認可能なように表示される。
【００４９】
本実施形態の表示部１２０では、上述のように鉛直方向（Ｙ方向）の異なる位置から表示部１２０が視認された場合に、それぞれ異なる画像が視認可能となるように表示される（図６参照）。すなわち、表示部１２０は、鉛直方向において２つの異なる方向ＵＶ，ＤＶに、２種類の画像をそれぞれ表示する。詳細には、表示部１２０の法線ベクトルＮＶと＋Ｙ方向のベクトルとを合成したベクトルの方向ＵＶ（「上方向」とも称する）にはメイン画像ＭＧを表示するとともに、表示部１２０の法線ベクトルＮＶと−Ｙ方向のベクトルとを合成したベクトルの方向ＤＶ（「下方向」とも称する）には補助画像ＨＧを表示する。
【００５０】
これによれば、２種類の画像ＭＧ，ＨＧが同一表示部１２０において同時に別方向に表示されるので、使用者は、当該表示部１２０を別方向（具体的には、上方向および下方向）から見ることによって、２種類の画像ＭＧ，ＨＧをそれぞれ視認することが可能になる。
【００５１】
より詳細には、使用者は、メイン画像ＭＧを表示部１２０の上方向ＵＶから視認する状態（図６参照）から、撮像装置１Ａのレンズ面側が若干下向きになるように撮像装置１Ａを傾けることによって、補助画像ＨＧを表示部１２０の下方向ＤＶから視認する状態（図７参照）へと移行することができる。また、撮像装置１Ａの傾きを元に戻すことによって、て図７の状態から図６の状態へと移行することができる。
【００５２】
あるいは、図６の状態から、自ら顔を下向きに動かして表示部１２０に対する視認方向を変更することによって、補助画像ＨＧを表示部１２０の下方向ＤＶから視認する状態（図８参照）へと移行するようにしてもよい。また、自ら顔を上向きに動かすことによって、図８の状態から図６の状態に移行することができる。
【００５３】
また、使用者は引っ張り操作によって表示部１２０を引き出し、さらに表示部１２０を（図のＸ軸に平行な軸まわりに）回転させて、表示部１２０に対する視認角度を変更することによって、２種類の画像をそれぞれ視認するようにしてもよい。特に、撮像装置１Ａを固定して使用する場合（例えば、三脚を使用して撮影する場合）には、撮像装置１Ａを傾けることによって視認角度を変更することができないから、表示部１２０を回転させて視認角度を変更することが有用である。
【００５４】
このように、２種類の画像を同一表示部において同時に別方向に表示することによって、画像に文字等が重畳して表示されることに起因する視認性の劣化を改善することができる。すなわち、画像の視認性の低下を抑制することが可能である。
【００５５】
なお、本実施形態では、２種類の画像ＭＧ，ＨＧが、上方向ＵＶおよび下方向ＤＶからそれぞれ視認可能なように表示されている。これによれば、使用者が撮像装置１Ａを手に持って使用する場合には、手首をひねり撮像装置１Ａの傾きを変更するだけの簡単な操作によって、２種類の画像ＭＧ，ＨＧをそれぞれ視認することが可能となる。
【００５６】
しかしながら、多方向表示機能を備える撮像装置１Ａにおいて、使用者が表示部１２０に対して特定の一方向からしか視認できない場合（例えば、使用者が自らの手で上方に掲げた携帯型電子機器の表示部１２０を下方から視認する場合）等には、他方向に表示された画像を視認することができないという不都合を生じることがある。
【００５７】
このような不都合を解消するため、この実施形態では、より柔軟な表示態様、換言すれば、撮像装置１Ａの様々な使用状況に適した表示手法を提供する。具体的には、使用者の指示に応答して、メイン画像ＭＧの表示方向と補助画像ＨＧの表示方向とを相互に入れ替えることによって、特定の一方向から見る画像の内容を変更できるようにする。
【００５８】
なお、このような変更動作を行えば、特定の方向からしか視認できない場合だけでなく、使用者にとって見やすい一方向から視認したい場合においても、所望の内容を特定の方向から視認することが可能になる。例えば、使用者にとって見やすい方向が上方向であるとする場合において、使用者が補助画像ＨＧを視認したいとしても、上記の通常状態では補助画像ＨＧが下方向に表示されるためにそのままでは上方向から補助画像ＨＧを視認することができない。これに対して、使用者の指示に応答して表示方向の入れ替え動作を行えば、視認角度を変更せずに使用者にとって見やすい方向である上方向から補助画像ＨＧを視認することが可能になる。
【００５９】
ただし、このような画像の内容の変更をボタン操作によって行うものとすると、操作性を損なうことがあるという問題がある。
【００６０】
そこで、本実施形態に係る撮像装置１Ａは、以下のような動作を実行することにより、この問題をも解決している。
【００６１】
図５に示されるように、撮像装置１Ａは、ステップＳＰ３〜ＳＰ５の工程において、所定の条件を満たす撮像装置１Ａの姿勢変動を検出することによって、メイン画像ＭＧと補助画像ＨＧとの表示方向を相互に入れ替えることができる。
【００６２】
図１０は、初期状態における画像の表示方向を示す図である。図１１は、撮像装置１Ａに与えられる姿勢変動を示す図である。図１２は、表示方向が変更された様子を示す図である。
【００６３】
具体的には、ステップＳＰ３（図５）では、撮像装置１Ａに与えられる動き（姿勢変動）が検出される。この姿勢変動は、例えば手ぶれ補正のために内蔵されているジャイロセンサを用いて検出することができる。ジャイロセンサは、撮像装置１Ａの角速度を検知することが可能なセンサであり、このジャイロセンサを用いることによって撮像装置１Ａの変位（移動方向および移動量）を検出することが可能になる。
【００６４】
次のステップＳＰ４では、ステップＳＰ３で検出された姿勢変動が、手ぶれ等ではなく使用者によって撮像装置１Ａに意図的に与えられた所定の条件を満たす姿勢変動であるか否かが判断される。所定の条件を満たす姿勢変動であると判断されるとステップＳＰ５に移行する。
【００６５】
ここで、所定の条件を満たす姿勢変動としては、例えば、短時間（例えば、１秒程度）のうちに行われる揺動動作（図１１参照）を採用することができる。詳細には、表示部１２０の法線ベクトルＮＶが水平面ＬＳに対して所定角度（例えば１０度）以上上向きに回転するように（換言すれば撮像装置１Ａのレンズ面側が若干下向きになるように）撮像装置１Ａを傾け、直後に再び元の姿勢に戻すような一連の動作等を採用することができる。また、ここでは、撮像装置１Ａに予め固定的に登録された１つの動作を、所定の条件を満たす姿勢変動として採用する場合を例示しているが、これに限定されない。例えば、使用者自身が決定した任意の動きを、所定の条件を満たす姿勢変動として、使用者が撮像装置１Ａに登録するようにしてもよい。
【００６６】
そして、ステップＳＰ５では、表示方向の変更すなわちメイン画像ＭＧと補助画像ＨＧとの入れ替えが行われる。
【００６７】
例えば、図１０に示されるように、上方向ＵＶにメイン画像ＭＧが表示されるとともに、下方向ＤＶに補助画像ＨＧが表示されていた場合において、使用者によって撮像装置１Ａに図１１に示されるような所定の動きが与えられると、上方向ＵＶに補助画像ＨＧが表示され下方向ＤＶにメイン画像ＭＧが表示されるようになる（図１２参照）。
【００６８】
一方、ステップＳＰ４において、所定の動きでないと判断されると表示方向の変更を行わず、ステップＳＰ６に移行する。
【００６９】
ステップＳＰ６では、撮影モードの終了を判断する。例えば、モード設定ダイアル１１２の切り替え操作等による撮影モードの終了指示を検出した場合には、撮影モードを終了する。逆に、撮影モードが継続されている場合には、上記ステップＳＰ２からＳＰ５の各工程が継続して実行される。
【００７０】
このように、所定の条件を満たす撮像装置１Ａの姿勢変動を検出すると、２つの異なる方向からそれぞれ視認可能な２種類の画像を相互に入れ替えるので、例えば、ユーザの撮影姿勢等の制約によって特定の方向からしか視認できない場合、または、ユーザが自己の見やすい一方向から視認したい場合にも、２種類の画像を両方とも視認することが可能となる。
【００７１】
さらに、撮像装置１Ａにおける姿勢変動が検出され、当該姿勢変動が所定の条件を満たすときに表示画像の入れ替え動作が行われるので、煩雑なボタン操作等によらず、操作性に優れた入れ替え動作が実現できる。
【００７２】
なお、このような表示画像の入れ替え動作は、表示部１２０において異なる方向から視認可能なように表示された２種類の画像のうち、少なくとも１つの画像の内容を変更する動作であるとも表現することができる。
【００７３】
以上のように、２種類の画像をそれぞれ異なる方向から視認可能なように表示する表示部を有する撮像装置１Ａにおいて、撮像装置１Ａの姿勢変動を検出するとともに、検出された姿勢変動が所定の条件を満たす場合には、２種類の画像のうち、少なくとも１つの画像の内容を変更するので、特定の方向からしか視認できない場合または見やすい一方向から視認したい場合においても所望の画像を操作性良く視認することが可能となる。
【００７４】
＜２．第２実施形態＞
次に、本発明の第２実施形態について説明する。上記第１実施形態においては、所定の条件を満たす「姿勢変動」を検出することによって、メイン画像ＭＧと補助画像ＨＧとの表示方向を相互に入れ替えていたが、第２実施形態では、所定の条件を満たす撮像装置１Ｂの「姿勢」を検出することによって、メイン画像ＭＧと補助画像ＨＧとの表示方向を相互に入れ替える。
【００７５】
本発明の第２実施形態に係る撮像装置１Ｂは、図１および図３に示す第１実施形態の撮像装置１Ａと同様の構成を有している。以下では、第１実施形態との相違点を中心に説明し、共通する部分については、同じ符号を付して説明を省略する。
【００７６】
図１３は、撮像装置１Ｂの動作フローチャートである。
【００７７】
図１３中のステップＳＰ１１，ＳＰ１２，ＳＰ１５およびＳＰ１６は、それぞれ、図５中のステップＳＰ１，ＳＰ２，ＳＰ５およびＳＰ６と同様の処理が行われるため、当該共通する工程についての説明は簡略化する。
【００７８】
まず、ステップＳＰ１１では、モード設定ダイアル１１２のダイアル操作によって撮影モードが選択されると、撮影モードに移行し、カメラ部２１による画像データの取得が開始される。
【００７９】
ステップＳＰ１２では、取得された画像データがライブビュー画像として表示部１２０に表示される。表示部１２０においては、ライブビュー画像をメイン画像ＭＧとし、ライブビュー画像を取得している現在の撮影条件を補助画像ＨＧとして、２つの異なる方向からそれぞれ視認可能なように表示される。
【００８０】
なお、本実施形態の表示部１２０では、図６に示されるように鉛直方向（Ｙ方向）の異なる位置から表示部１２０が視認された場合に、それぞれ異なる画像が視認可能となるように表示される。
【００８１】
次に、本実施形態に係る撮像装置１Ｂは、ステップＳＰ１３〜ＳＰ１５の工程において、所定の条件を満たす撮像装置１Ａの姿勢を検出することによって、メイン画像ＭＧと補助画像ＨＧとの表示方向を相互に入れ替える。
【００８２】
図１４は、初期状態における画像の表示方向を示す図である。図１５は、或る撮影時点における撮像装置１Ｂの姿勢を示す図である。図１６は、表示方向が変更された様子を示す図である。
【００８３】
具体的には、ステップＳＰ１３（図１３）では、撮像装置１Ｂの姿勢が検出される。
【００８４】
撮像装置１Ｂの姿勢を検出する手法としては、例えば第１実施形態と同様に撮像装置１Ｂに内蔵されているジャイロセンサまたは姿勢角度検出センサを用いる。
【００８５】
次のステップＳＰ１４では、ステップＳＰ１３で検出された撮像装置１Ｂの姿勢が、所定の姿勢か否かが判断されるとともに、当該所定の姿勢が一定時間（例えば３秒間）継続されるか否かが判断される。所定の姿勢が一定時間継続されたと判断されると所定の条件を満たす姿勢が検出されたものとしてステップＳＰ１５に移行する。
【００８６】
ここで、所定の姿勢としては、例えば、表示部１２０の法線ベクトルＮＶが（当該法線ベクトルＮＶの始点ＮＰを通る）水平面ＬＳよりも上向きとなるように撮像装置１Ｂを一定量（例えば１０度以上）傾けた姿勢（図１５）を採用することができる。あるいは、使用者自身が決定した任意の姿勢を所定の姿勢として採用し、予め撮像装置１Ｂに登録しておいてもよい。なお、撮像装置１Ｂの姿勢が所定の姿勢に対して許容範囲内のものであるときには、撮像装置１Ｂの姿勢が所定の姿勢を有していると判定する。
【００８７】
そして、ステップＳＰ１５では、表示方向の変更すなわちメイン画像ＭＧと補助画像ＨＧとの入れ替えが行われる。
【００８８】
例えば、図１４に示されるように、上方向ＵＶにメイン画像ＭＧが表示されるとともに、下方向ＤＶに補助画像ＨＧが表示されていた場合において、使用者によって図１５に示されるような所定の姿勢に、撮像装置１Ｂが一定時間（例えば３秒間）継続して保持されると、上方向ＵＶに補助画像ＨＧが表示され下方向ＤＶにメイン画像ＭＧが表示されるようになる（図１６参照）。
【００８９】
一方、ステップＳＰ１４において、所定の姿勢が検出されていないと判断されると表示方向の変更を行わず、ステップＳＰ１６に移行する。
【００９０】
ステップＳＰ１６では、撮影モードの終了を判断する。撮影モードの終了指示を検出した場合には、撮影モードを終了する。逆に、撮影モードが継続されている場合には、上記ステップＳＰ１２からＳＰ１５の各工程が継続して実行される。
【００９１】
このように、所定の条件を満たす撮像装置１Ｂの姿勢を検出すると、２つの異なる方向からそれぞれ視認可能な２種類の画像を相互に入れ替えるので、ボタン操作を要することなく、操作性の優れた表示の入れ替え動作を実現することができる。
【００９２】
また、表示部１２０に対して使用者の視認する方向が或る程度定まる使用状況（例えば、低い位置に存在する物体を撮影する場合）において、使用者の見やすい自然な姿勢からメイン画像ＭＧを自動的に視認することが可能になる。
【００９３】
あるいは、表示部１２０を特定の方向（例えば表示部１２０の下方向）からしか見ることができない場合にも、当該特定の方向からメイン画像ＭＧを自動的に視認することが可能になる。
【００９４】
以上のように、２種類の画像をそれぞれ異なる方向から視認可能なように表示する表示部を有する撮像装置１Ｂにおいて、撮像装置１Ｂの姿勢を検出するとともに、検出された姿勢が所定の条件を満たす場合には、２種類の画像のうち、少なくとも１つの画像の内容が変更される。したがって、表示部に対して使用者の視認する方向が或る程度定まる使用状況等において、使用者の見やすい自然な姿勢から重要な画像を操作性良く視認することが可能になる。換言すれば、特定の方向からしか視認できない場合または見やすい一方向から視認したい場合においても所望の画像を操作性良く視認することが可能となる。
【００９５】
＜３．変形例＞
以上、この発明の実施の形態について説明したが、この発明は、上記に説明した内容に限定されるものではない。
【００９６】
例えば、上記各実施形態においては、所定の条件を満たす撮像装置１Ａの姿勢変動または所定の条件を満たす撮像装置１Ｂの姿勢を検出して、２つの異なる方向に表示された２種類の画像を相互に入れ替えていたが、これに限定されない。例えば、使用者によって撮像装置１Ａ（１Ｂ）に与えられる所定の条件を満たす姿勢変動（あるいは姿勢）を検出することによって、２つの異なる方向に表示された２種類の画像のうち、一方の画像に含まれる一部の情報を他方の画像に付加して表示するようにしてもよい。
【００９７】
具体的には、図１７および図１８を用いて説明する。図１７は、画像の表示方向を示す図であり、図１８は、表示部１２０に表示される画像を示す図である。
【００９８】
図１７および図１８（ａ）に示されるように、表示部１２０の初期状態において、ライブビュー画像ＩＡ１がメイン画像ＭＧとして上方向から視認可能であるとともに、撮影情報を表す画像ＩＢ１が補助画像ＨＧとして下方向から視認可能であるとする。
【００９９】
この場合において、所定の条件を満たす姿勢変動（あるいは姿勢）を検出すると、補助画像ＨＧとして表示されている撮影情報を表す画像ＩＢ１のうち、必要な情報（例えば、撮影可能枚数３１の表示）をライブビュー画像ＩＡ１に付加して表示する。
【０１００】
詳細には、図１８（ｂ）に示すように、撮影可能枚数３１の表示を補助画像ＨＧからメイン画像ＭＧに移動させて、ライブビュー画像ＩＡ１に当該表示を付加させた画像ＩＡ２をメイン画像ＭＧとして表示するとともに、画像ＩＢ１から当該表示を除いた画像ＩＢ２を補助画像ＨＧとして表示する。なお、画像ＩＡ２においては、画像ＩＢ１に含まれていた情報のうち一部の文字情報のみが重畳して表示されているので、画像の視認性が著しく低下せずに済む。
【０１０１】
このように、２つの異なる方向からそれぞれ視認可能なように表示されている２種類の画像のうち、一方の画像に含まれる一部の情報を他方の画像に付加して表示することによって、使用者は操作性良く所望の情報を特定の方向から視認することが可能となる。なお、このような一方の画像に含まれる情報の一部を他方の画像に付加して表示する動作は、表示部１２０において異なる方向から視認可能なように表示された２種類の画像のうち、少なくとも１つの画像の内容を変更する動作であるとも表現することができる。
【０１０２】
また、上述のように撮影可能枚数３１の表示を補助画像ＨＧからメイン画像ＭＧへと移動させた場合には、補助画像ＨＧに残された他の情報を拡大して表示させてもよい。これによれば、仮に補助画像ＨＧを見ることができる場合には、視認性の向上した見やすい画像を視認することが可能となる。
【０１０３】
また、図１８では、撮影可能枚数３１の表示を補助画像ＨＧからメイン画像ＭＧへと移動させていたがこれに限定されず、補助画像ＨＧに撮影可能枚数３１の表示を残すようにしてもよい。
【０１０４】
また、上記各実施形態では、撮影モードにおいて、ライブビュー画像と現在の撮影情報を表す画像とを２つの異なる方向からそれぞれ視認可能となるように表示していたが、これに限定されない。
【０１０５】
具体的には、撮影した画像を再生する「再生モード」において、再生画像と当該再生画像に関する撮影情報を表す画像とを２つの異なる方向からそれぞれ視認可能となるように表示するようにしてもよい。
【０１０６】
またさらに、使用者によって撮像装置１Ａ（１Ｂ）に与えられる姿勢変位の変動または姿勢を検出して、２つの異なる方向からそれぞれ視認可能なように表示された、再生画像と再生画像に関する撮影情報を表す画像とを相互に入れ替えるようにしてもよい。具体的には、メイン画像ＭＧとして再生画像を上方向から視認可能なように表示し、補助画像ＨＧとして撮影情報を表す画像を下方向にから視認可能なように表示していた場合には、撮像装置１Ａ（１Ｂ）の姿勢変動または姿勢を検出して、再生画像を下方向から視認可能なように表示し、撮影情報を表す画像を上方向から視認可能なように表示してもよい。
【０１０７】
また、上記各実施形態では、携帯型電子機器として撮像装置（デジタルカメラ）を用いた場合について説明したが、これに限定されない。具体的には、携帯型コンピュータ、ＰＤＡ（Personal Digital Assistants）またはポータブルゲーム機等の表示部においても本願発明を適用することが可能である。例えば、これらの電子機器で使用可能な学習用ソフトウェアにおいて、問題を表示する画面と解答を表示する画面とをそれぞれ異なる方向から視認可能なように表示すれば、使用者は所望の内容を効率良く視認することが可能になる。
【図面の簡単な説明】
【０１０８】
【図１】本発明の実施形態に係る撮像装置の外観側面図である。
【図２】本発明の実施形態に係る撮像装置の外観背面図である。
【図３】撮像装置の機能ブロックを示す図である。
【図４】表示部に表示される画像を示す図である。
【図５】撮像装置の動作フローチャートである。
【図６】表示部に表示される画像の表示方向を示す図である。
【図７】レンズ面側が下向きになるように撮像装置を傾けた場合に、使用者が表示部を視認する様子を示す図である。
【図８】表示部に対する視認方向を変更した際に使用者が視認する様子を示す図である。
【図９】表示部を引き出した際に使用者が表示部を視認する様子を示す図である。
【図１０】初期状態における画像の表示方向を示す図である。
【図１１】撮像装置に与えられる姿勢変動を示す図である。
【図１２】表示方向が変更された様子を示す図である。
【図１３】撮像装置の動作フローチャートである（第２実施形態）。
【図１４】初期状態における画像の表示方向を示す図である。
【図１５】或る撮影時点における撮像装置の姿勢を示す図である。
【図１６】表示方向が変更された様子を示す図である。
【図１７】画像の表示方向を示す図である。
【図１８】表示部に表示される画像を示す図である。
【符号の説明】
【０１０９】
１０１  カメラ本体
１０２  レンズ鏡筒部
１１０  フラッシュ
１１１  ＥＶＦ
１１２  モード設定ダイアル
１１３  電源スイッチ
１１４  レリーズボタン
１２０  表示部
ＬＳ    水平面
ＮＶ    法線
【図１】
2007264348.tif 000003
【図２】
2007264348.tif 000004
【図３】
2007264348.tif 000005
【図４】
2007264348.tif 000006
【図５】
2007264348.tif 000007
【図６】
2007264348.tif 000008
【図７】
2007264348.tif 000009
【図８】
2007264348.tif 000010
【図９】
2007264348.tif 000011
【図１０】
2007264348.tif 000012
【図１１】
2007264348.tif 000013
【図１２】
2007264348.tif 000014
【図１３】
2007264348.tif 000015
【図１４】
2007264348.tif 000016
【図１５】
2007264348.tif 000017
【図１６】
2007264348.tif 000018
【図１７】
2007264348.tif 000019
【図１８】
2007264348.tif 000020